(57)【要約】【課題】信頼性を向上することが可能な照明装置及び表示装置を提供する。【解決手段】  本実施形態の照明装置は、導光板と、導光板を囲むフレームと、導光板とフレームとの間に位置する発光部と、発光部と電気的に接続された配線基板と、を備え、配線基板は、平面視で第１方向に沿って突出した凸部を有し、フレームは、平面視で凸部と対向した凹部を有し、凹部と凸部とは、離間している。【選択図】      図５
2019067533.tif 000002
【特許請求の範囲】
【請求項１】
導光板と、
前記導光板を囲むフレームと、
前記導光板と前記フレームとの間に位置する発光部と、
前記発光部と電気的に接続された配線基板と、
を備え、
前記配線基板は、平面視で第１方向に沿って突出した凸部を有し、
前記フレームは、平面視で前記凸部と対向した凹部を有し、
前記凹部と前記凸部とは、離間している、照明装置。
【請求項２】
前記凸部の前記第１方向に沿った長さは、０．３ｍｍ以上である、請求項１に記載の照明装置。
【請求項３】
前記フレームは、前記凹部を含むリブを有し、
前記リブと前記配線基板とは、前記第１方向に沿って並んでいる、請求項１又は２に記載の照明装置。
【請求項４】
前記リブの前記第１方向と交差する第２方向に沿った長さは、２．０ｍｍ以上であり、
前記リブの上面の面積は、０．９ｍｍ２以上１．０ｍｍ２以下である、請求項３に記載の照明装置。
【請求項５】
前記配線基板は、前記凸部を含むエッジを有し、
前記エッジは、第１部分、第２部分、第３部分、第４部分、第５部分及び第６部分を含み、
前記第１部分、第２部分、第３部分、第４部分、第５部分及び第６部分は、前記フレームの内側から外側に向かってこの順で並び、
前記第２部分、第３部分及び第４部分は、前記第１部分、前記第５部分、及び前記第６部分より前記リブに近接する凸部を形成している、
請求項３又は４に記載の照明装置。
【請求項６】
前記第３部分は、前記リブに向かって凸となるように湾曲し、
前記第３部分の曲率半径は、０．１ｍｍ以上である、請求項５に記載の照明装置。
【請求項７】
前記第１部分と前記第２部分とは、直線状に延出し、
前記第１部分と前記第２部分とがなす第１角度は、２０度以上である、請求項５又は６に記載の照明装置。
【請求項８】
前記第４部分と前記第５部分とは、直線状に延出し、
前記第４部分と前記第５部分とがなす第２角度は、８０度以上である、請求項５乃至７のいずれか１項に記載の照明装置。
【請求項９】
前記第６部分と前記リブとの第１間隔は、前記第３部分と前記リブとの第２間隔より小さい、請求項５乃至８のいずれか１項に記載の照明装置。
【請求項１０】
前記第１間隔は、０．０８ｍｍ以上であり、
前記第２間隔は、０．１５ｍｍ以上である、請求項９に記載の照明装置。
【請求項１１】
照明装置と、
前記照明装置と重なる表示パネルと、
を備え、
前記照明装置は、
導光板と、
前記導光板を囲むフレームと、
前記導光板と前記フレームとの間に位置する発光部と、
前記発光部と電気的に接続された配線基板と、
を備え、
前記配線基板は、平面視で第１方向に沿って突出した凸部を有し、
前記フレームは、平面視で前記凸部と対向した凹部を有し、
前記凹部と前記凸部とは、離間している、表示装置。
【請求項１２】
前記凸部の前記第１方向に沿った長さは、０．３ｍｍ以上である、請求項１１に記載の表示装置。
【請求項１３】
前記フレームは、前記凹部を含むリブを有し、
前記リブと前記配線基板とは、前記第１方向に沿って並んでいる、請求項１１又は１２に記載の表示装置。
【請求項１４】
前記リブの前記第１方向と交差する第２方向に沿った長さは、２．０ｍｍ以上であり、
前記リブの上面の面積は、０．９ｍｍ２以上１．０ｍｍ２以下である、請求項１３に記載の表示装置。
【請求項１５】
前記配線基板は、前記凸部を含むエッジを有し、
前記エッジは、第１部分、第２部分、第３部分、第４部分、第５部分及び第６部分を含み、
前記第１部分、第２部分、第３部分、第４部分、第５部分及び第６部分は、前記フレームの内側から外側に向かってこの順で並び、
前記第２部分、第３部分及び第４部分は、前記第１部分、前記第５部分、及び前記第６部分より前記リブに近接する凸部を形成している、
請求項１３又は１４に記載の表示装置。
【請求項１６】
前記第３部分は、前記リブに向かって凸となるように湾曲し、
前記第３部分の曲率半径は、０．１ｍｍ以上である、請求項１５に記載の表示装置。
【請求項１７】
前記第１部分と前記第２部分とは、直線状に延出し、
前記第１部分と前記第２部分とがなす第１角度は、２０度以上である、請求項１５又は１６に記載の表示装置。
【請求項１８】
前記第４部分と前記第５部分とは、直線状に延出し、
前記第４部分と前記第５部分とがなす第２角度は、８０度以上である、請求項１５乃至１７のいずれか１項に記載の表示装置。
【請求項１９】
前記第６部分と前記リブとの第１間隔は、前記第３部分と前記リブとの第２間隔より小さい、請求項１５乃至１８のいずれか１項に記載の表示装置。
【請求項２０】
前記第１間隔は、０．０８ｍｍ以上であり、
前記第２間隔は、０．１５ｍｍ以上である、請求項１９に記載の表示装置。
【発明の詳細な説明】
【技術分野】
【０００１】
本発明の実施形態は、照明装置、及び照明装置を備える表示装置に関する。
【背景技術】
【０００２】
例えば液晶表示装置などの表示装置は、照明装置を備える場合がある。照明装置は、発光部や導光板を収容するフレームを備えていることが多い。このようなフレームと、例えば配線基板などの他の部品との間に間隙が形成されている場合、この間隙は、照明装置内への異物の混入経路となるおそれがある。
【先行技術文献】
【特許文献】
【０００３】
【特許文献１】特開２００７−３０４３０６号公報
【発明の概要】
【発明が解決しようとする課題】
【０００４】
本実施形態の目的は、信頼性を向上することが可能な照明装置と及び表示装置を提供することにある。
【課題を解決するための手段】
【０００５】
一実施形態によれば、  
導光板と、前記導光板を囲むフレームと、前記導光板と前記フレームとの間に位置する発光部と、前記発光部と電気的に接続された配線基板と、を備え、前記配線基板は、平面視で第１方向に沿って突出した凸部を有し、前記フレームは、平面視で前記凸部と対向した凹部を有し、前記凹部と前記凸部とは、離間している、照明装置が提供される。
【０００６】
一実施形態によれば、  
照明装置と、前記照明装置と重なる表示パネルと、を備え、前記照明装置は、導光板と、前記導光板を囲むフレームと、前記導光板と前記フレームとの間に位置する発光部と、前記発光部と電気的に接続された配線基板と、を備え、前記配線基板は、平面視で第１方向に沿って突出した凸部を有し、前記フレームは、平面視で前記凸部と対向した凹部を有し、前記凹部と前記凸部とは、離間している、表示装置が提供される。
【図面の簡単な説明】
【０００７】
【図１】図１は、本実施形態の表示装置ＤＳＰの一構成例を示す平面図である。
【図２】図２は、図１に示す照明装置ＩＬを概略的に示す平面図である。
【図３】図３は、図１に示す実線の円で囲まれた領域ＡＲ１を示す平面図である。
【図４】図４は、領域ＡＲ１の斜視図である。
【図５】図５は、遮光層１を除いた場合の領域ＡＲ１を示す平面図である。
【図６】図６は、遮光層１を除いた場合の領域ＡＲ１の斜視図である。
【図７】図７は、図５に示すリブ２３及び接続部３１の近傍を拡大して示す平面図である。
【図８】図８は、図７に示す溝ＴＲの近傍を拡大して示す平面図である。
【図９】図９は、溝ＴＲの近傍を示す斜視図である。
【図１０】図１０は、溝ＴＲの近傍を示す斜視図である。
【図１１】図１１は、図７に示すＡ−Ａ’線に沿った断面図である。
【図１２】図１２は、図７に示すＢ−Ｂ’線に沿った断面図である。
【図１３】図１３は、第１比較例としての照明装置ＩＬ１を示している。
【図１４】図１４は、第２比較例としての照明装置ＩＬ２を示している。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
図１は、本実施形態の表示装置ＤＳＰの一構成例を示す平面図である。図中において、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、及び、第３方向Ｚは、互いに直交しているが、互いに９０度以外の角度で交差していてもよい。第１方向Ｘ及び第２方向Ｙは、表示面と平行な方向に相当し、第３方向Ｚは、表示装置ＤＳＰの厚さ方向に相当する。本明細書において、第３方向Ｚを示す矢印の先端に向かう方向を上方（あるいは、単に上）と称し、矢印の先端から逆に向かう方向を下方（あるいは、単に下）と称する。また、第３方向Ｚを示す矢印の先端側に表示装置ＤＳＰを観察する観察位置があるものとし、この観察位置から、第１方向Ｘ及び第２方向Ｙで規定されるＸ−Ｙ平面に向かって見ることを平面視という。
【００１０】
表示装置ＤＳＰは、表示パネルＰＮＬと、照明装置ＩＬと、を備えている。照明装置ＩＬは、光が出射される照明領域ＩＡと、遮光層１が配置された遮光領域ＳＡとを有している。照明領域ＩＡは、四角形であり、図示した例では、第２方向Ｙに沿った長さが第１方向Ｘに沿った長さより大きい長方形状である。遮光層１は、図において斜線を付して示すように、枠状に形成され、照明領域ＩＡを囲んでいる。
【００１１】
表示パネルＰＮＬは、一例では、アクティブマトリクス型の液晶表示パネルである。本実施形態における表示パネルＰＮＬは、照明装置ＩＬから照射された光を選択的に透過することで画像を表示する。表示パネルＰＮＬは、照明領域ＩＡのすべてと重なるとともに、遮光層１の一部とも重なっている。
【００１２】
図２は、図１に示す照明装置ＩＬを概略的に示す平面図である。照明装置ＩＬは、フレーム２と、配線基板３と、発光部ＥＭと、導光板ＬＧと、を備えている。なお、ここでは、遮光層１の図示を省略している。
【００１３】
フレーム２は、発光部ＥＭと導光板ＬＧとを囲んでいる。フレーム２は、第１方向Ｘに沿って延出した第１部分２１と、第２方向Ｙに沿って延出した第２部分２２とを有している。導光板ＬＧは、第２方向Ｙに沿った長さが第１方向に沿った長さより大きい長方形状である。導光板ＬＧは、上述の照明領域ＩＡとほぼ対応した領域に位置している。発光部ＥＭは、フレーム２によって囲まれた領域内で、導光板ＬＧと第１部分２１との間に位置している。図示した例では、複数の発光部ＥＭが、第１方向Ｘに沿って並んでいる。配線基板３は、発光部ＥＭと電気的に接続されている。図示した例では、配線基板３は、導光板ＬＧ、発光部ＥＭ、及び第１部分１１と重なっている。
【００１４】
図３は、図１に示す実線の円で囲まれた領域ＡＲ１を示す平面図である。図４は、領域ＡＲ１の斜視図である。ここでは、表示パネルＰＮＬの図示を省略している。なお、領域ＡＲ２の構造は、領域ＡＲ１と同様であるため、説明を省略する。
【００１５】
図３に示すように、遮光層１は、フレーム２、導光板ＬＧ、発光部ＥＭ、及び配線基板３と重なっている。より具体的には、遮光層１は、第１方向Ｘに沿って延出した第１部分１１と、第２方向Ｙに沿って延出した第２部分１２とを有している。第１部分１１は、フレーム２の第１部分２１、発光部ＥＭ、及び導光板ＬＧの一部を覆っている。第２部分１２は、フレーム２の第２部分２２と導光板ＬＧの一部とを覆っている。換言すると、フレーム２と導光板ＬＧとの間隙は、遮光層１によって覆われている。
【００１６】
また、図４に示すように、照明装置ＩＬは、導光板ＬＧ、発光部ＥＭなどを保持する筐体４を有している。フレーム２の一部と配線基板３とは、筐体４の上に位置している。フレーム２と配線基板３は、互いに離間している。換言すると、フレーム２、配線基板３及び遮光層１によって囲まれた空間ＳＰが形成されている。なお、図示した例では、筐体４の上方には、第１方向Ｘに沿って延出した段部ＳＴＰが形成されている。遮光層１は、この段部ＳＴＰも覆っている。
【００１７】
図５は、遮光層１を除いた場合の領域ＡＲ１を示す平面図である。図６は、遮光層１を除いた場合の領域ＡＲ１の斜視図である。
【００１８】
図５、及び図６に示すように、配線基板３は、接続部３１と延出部３２とを有している。接続部３１は、第１方向Ｘに沿って延出し、ほぼすべてが筐体４と重なっている。延出部３２は、接続部３１から第２方向Ｙに沿って延出し、筐体４と重なっていない。
【００１９】
フレーム２は、第１部分２１と第２部分２２との交差部近傍に位置するリブ２３を有している。リブ２３の厚さＴ２３は、第１部分２１の厚さＴ２１及び第２部分２２の厚さより大きい。図示した例では、リブ２３の上面２３Ａの高さは、接続部３１の上面３１Ａの高さとほぼ一致している。ここで、高さとは、第３方向Ｚにおける位置に相当する。
【００２０】
接続部３１とリブ２３とは、第１方向Ｘに沿って並んでいる。接続部３１は、第１方向Ｘに沿って突出した凸部ＣＶを有している。図示した例では、凸部ＣＶは、リブ２３に向かって（すなわちフレーム２の外側に向かって）突出している。リブ２３は、凸部ＣＶと対向する凹部ＣＣを有している。凸部ＣＶと凹部ＣＣとは、離間している。これにより、接続部３１とリブ２３との間には、蛇行した溝ＴＲが形成されている。
【００２１】
図７は、図５に示すリブ２３及び接続部３１の近傍を拡大して示す平面図である。
【００２２】
接続部３１は、第１方向Ｘに沿って延出したエッジＥＸ３ａ及びＥＸ３ｂと、リブ２３と対向するエッジＥＴ３とを有している。エッジＥＸ３ａは、フレーム２で囲まれた領域の内側に位置している。エッジＥＸ３ｂは、フレーム２で囲まれた領域の外側に位置している。
【００２３】
フレーム２の第１部分２１は、第１方向Ｘに沿って延出したエッジＥＸ２ａとエッジＥＸ２ｂとを有している。エッジＥＸ２ａは、エッジＥＸ２ｂより内側、すなわち発光部ＥＭに近接する側に位置している。フレーム２の第２部分２２は、第２方向Ｙに沿って延出したエッジＥＹ２ａとエッジＥＹ２ｂとを有している。エッジＥＹ２ａは、エッジＥＹ２ｂより内側、すなわち導光板ＬＧに近接する側に位置している。
【００２４】
フレーム２のリブ２３は、第１方向Ｘに沿って延出したエッジＥＸ２３と、第２方向Ｙに沿って延出したエッジＥＹ２３と、接続部３１と対向するエッジＥＴ２と、を有している。溝ＴＲは、エッジＥＴ２とエッジＥＴ３との間の領域に相当する。図示した例では、エッジＥＹ２３は、第１部分２１のエッジＥＹ２ｂと一致している。エッジＥＹ２３は、第２部分２２のエッジＥＹ２ｂと一致している。リブ２３の第２方向Ｙに沿った長さＬ２３は、一例では、２．０ｍｍ以下である。また、リブ２３の上面２３Ａの面積は、０．９ｍｍ２以上１．０ｍｍ２以下である。長さＬ２３及び上面２３Ａの大きさをこのように設定することで、リブ２３の強度を保持することができる。
【００２５】
接続部３１は、発光部ＥＭ、導光板ＬＧ、及びフレーム２と重なっている。より具体的には、接続部３１は、発光部ＥＭ、導光板ＬＧのエッジＥＬＧ、第１部分２１のエッジＥＸ２ａ及びＥＸ２ｂ、及び第２部分２２のエッジＥＹ２ａと重なっている。エッジＥＸ３ａ、エッジＥＬＧ、発光部ＥＭ、エッジＥＸ２ａ、エッジＥＸ２ｂ、及びエッジＥＸ３ｂは、この順で第２方向Ｙに沿って並んでいる。また、エッジＥＴ３は、エッジＥＹ２ａと交差している。したがって、凸部ＣＶの一部は、フレーム２と重なっている。
【００２６】
なお、図示した例では、導光板ＬＧの下方に、後述する反射層ＲＬが設けられている。接続部３１は、この反射層ＲＬと第２部分２２との間で露出されている筐体４とも重なっている。
【００２７】
図８は、図７に示す溝ＴＲの近傍を拡大して示す平面図である。図８は、接続部３１の上面３１Ａと、リブ２３の上面２３Ａを示している。
【００２８】
接続部３１のエッジＥＴ３は、部分Ｓ３１、Ｓ３２、Ｓ３３、Ｓ３４、Ｓ３５、及びＳ３６を含んでいる。部分Ｓ３１、Ｓ３２、Ｓ３３、Ｓ３４、Ｓ３５、及びＳ３６は、フレーム２によって囲まれた内側の領域から外側の領域に向かって、すなわちエッジＥＸ３ａからエッジＥＸ３ｂに向かう方向に、この順で並んでいる。
【００２９】
部分Ｓ３２、Ｓ３３、及びＳ３４は、部分Ｓ３１、Ｓ３５、及びＳ３６よりリブ２３に近接し、凸部ＣＶを形成している。部分Ｓ３３は、リブ２３に向かって凸となるように湾曲している。部分Ｓ３３の曲率半径Ｒ３３は、一例では、０．１ｍｍ以上である。凸部ＣＶの長さＬＣＶは、例えば部分Ｓ３３のうち最もリブに近接した位置と、部分Ｓ３５との第１方向Ｘに沿った距離に相当する。長さＬＣＶは、一例では、０．３ｍｍ以上である。
【００３０】
部分Ｓ３１、Ｓ３２、Ｓ３４、Ｓ３５、及びＳ３６は、一例では、直線状に延出している。図示した例では、部分Ｓ３１と部分Ｓ３５とは、第２方向Ｙに沿って延出している。部分Ｓ３２、Ｓ３４、及びＳ３６は、第２方向Ｙと交差する方向に沿って延出している。部分Ｓ３６は、部分Ｓ３５よりリブ２３から離間している。部分Ｓ３１と部分Ｓ３２とがなす角度θ１は、例えば２０度以上である。部分Ｓ３４と部分Ｓ３５とがなす角度θ２は、例えば８０度以上である。
【００３１】
リブ２３のエッジＥＴ２は、部分Ｓ２１、Ｓ２２、Ｓ２３、Ｓ２４、Ｓ２５、及びＳ２６を含んでいる。部分Ｓ２１、Ｓ２２、Ｓ２３、Ｓ２４、Ｓ２５、及びＳ２６は、エッジＥＴ３の部分Ｓ３１、Ｓ３２、Ｓ３３、Ｓ３４、Ｓ３５、及びＳ３６とそれぞれ対向し、この順で並んでいる。
【００３２】
部分Ｓ２２、Ｓ２３、及びＳ２４は、部分Ｓ２１、Ｓ２５、及びＳ２６よりエッジＥＹ２３に近接し、凹部ＣＣを形成している。部分Ｓ２３は、エッジＥＹ２３に向かって凸となるように湾曲している。部分Ｓ２３の曲率半径は、一例では、曲率半径Ｒ３３より大きい。部分Ｓ２１、Ｓ２２、Ｓ２４、Ｓ２５、及びＳ２６は、部分Ｓ３１、Ｓ３２、Ｓ３４、Ｓ３５、及びＳ３６とそれぞれほぼ平行に延出している。
【００３３】
第２方向Ｙにおいて、エッジＥＸ３ｂ側の溝ＴＲは、エッジＥＸ３ａ側の溝ＴＲより細い。すなわち、部分Ｓ３６とリブ２３との間隔ＩＴ１は、部分Ｓ３３とリブ２３との間隔ＩＴ２より小さい。図示した例では、間隔ＩＴ１は、部分Ｓ３６と部分Ｓ２６との間の、部分Ｓ３６の延出方向と直交する方向に沿った距離に相当する。間隔ＩＴ２は、部分Ｓ３３と部分Ｓ２３との距離に相当する。間隔ＩＴ１は、一例では、０．０８ｍｍ以上である。間隔ＩＴ２は、一例では、０．１５ｍｍ以上である。
【００３４】
なお、エッジＥＴ３及びＥＴ２の形状は、図示した例に限定されない。例えばエッジＥＴ３は、少なくとも１つの凸部を有していればよく、エッジＥＴ３が含む曲線及び直線の数、曲線の形状、直線の延出方向は、適宜に変更することができる。
【００３５】
図９及び図１０は、溝ＴＲの近傍を示す斜視図である。図９において斜線を付して示すように、リブ２３は、接続部３１と対向し溝ＴＲを形成する側面２３Ｓを有している。エッジＥＴ２は、リブの上面２３Ａと側面２３Ｓとの境界に相当する。また、図１０において斜線を付して示すように、接続部３１は、リブ２３と対向し溝ＴＲを形成する側面３１Ｓを有している。エッジＥＴ３は、接続部３１の上面３１Ａと側面３１Ｓとの境界に相当する。
【００３６】
図１１は、図７に示すＡ−Ａ’線に沿った断面図である。図１２は、図７に示すＢ−Ｂ’線に沿った断面図である。図１１は、図８に示したエッジＥＸ２ａ、ＥＸ２ｂ、ＥＸ３ａ、ＥＸ３ｂ、及びＥＬＧを示している。図１２は、図８に示したエッジＥＹ２ａ、ＥＹ２ｂ、ＥＴ２、及びＥＴ３を示している。
【００３７】
図１１及び図１２に示すように、表示装置ＤＳＰは、フレーム２、配線基板３、筐体４、発光部ＥＭ、導光板ＬＧ、反射層ＲＬ、散乱層ＳＬ、偏光板ＰＬ、及び表示パネルＰＮＬを備えている。
【００３８】
筐体４は、底壁４０と側壁４１及び４２を有している。フレーム２は、筐体４に嵌合されている。より具体的には、フレーム２は、側壁４１の上面４１Ａと、側壁４２の上面４２Ａとに接している。図示した例では、第１部分２１は、側壁４１の側面４１Ｓと、筐体４の底面４０Ａとに接している。第２部分２２は、側壁４２の側面４２Ｓと、底面４０Ａとに接している。
【００３９】
発光部ＥＭ、導光板ＬＧ、及び反射層ＲＬは、筐体４に収容されている。反射層ＲＬは、発光部ＥＭ及び導光板ＬＧの直下に位置している。反射層ＲＬは、少なくとも導光板ＬＧのすべてと重なっている。図示した例では、反射層ＲＬは、導光板ＬＧの下面（すなわち底面４０Ａと対向する側の面）と接している。
【００４０】
配線基板３は、フレーム２、発光部ＥＭ、及び導光板ＬＧの上に位置している。発光部ＥＭは、配線基板３と電気的に接続されている。配線基板３は、フレーム２の上面２Ａと接している。図示した例では、配線基板３は、導光板ＬＧとも接しているが、配線基板３と導光板ＬＧとの間に、接着層が介在していてもよい。なお、図１２に示すように、配線基板３は、リブ２３から離間し、リブ２３とともに溝ＴＲを形成している。
【００４１】
図１１に戻り、散乱層ＳＬは、第２方向Ｙにおいて配線基板３より内側の領域で、且つ導光板ＬＧの上に位置している。表示パネルＰＮＬは、配線基板３の上に位置している。偏光板ＰＬは、表示パネルＰＮＬと散乱層ＳＬとの間に位置している。
【００４２】
図１３は、第１比較例としての照明装置ＩＬ１を示している。第１比較例は、フレーム２が第１方向Ｘに沿って延出した側壁ＳＷを有している点で、本実施形態と相違している。図１４は、第２比較例としての照明装置ＩＬ２を示している。第２比較例は、照明装置ＩＬ２がほぼ直線状に延出した溝ＴＲ２を有している点で、本実施形態と相違している。
【００４３】
本実施例によれば、フレーム２が側壁を有していないため、第１比較例と比較して、第２方向Ｙにおいて照明装置の狭額縁化が実現される。したがって、表示装置ＤＳＰの狭額縁化が可能になる。
【００４４】
また、本実施形態によれば、接続部３１は、リブ２３に向かって突出した凸部ＣＶを有し、リブ２３は、凸部ＣＶと対向する凹部ＣＣを有している。このため、フレーム２と配線基板３との位置合わせ精度に起因してリブ２３と接続部３１とが離間している場合であっても、リブ２３と接続部３１との間には、蛇行した溝ＴＲが形成される。したがって、第２比較例と比較して、溝ＴＲが蛇行し長さが大きくなるため、フレーム２の外側から内側に向かって異物が侵入することを抑制することができる。さらに、エッジＥＸ３ａ側におけるリブ２３と接続部３１との間隔ＩＴ１は、エッジＥＸ３ａより内側におけるリブ２３と接続部３１との間隔ＩＴ２より小さい。このため、異物の侵入をさらに抑制することができる。
【００４５】
以上のように、本実施形態によれば、狭額縁を維持したまま、照明装置内への異物の侵入を抑制することができる。したがって、照明装置ＩＬの信頼性を向上することができ、この結果、表示装置ＤＳＰの信頼性も向上することができる。
【００４６】
上記の実施形態において、角度θ１は、第１角度に相当し、角度θ２は、第２角度に相当する。また、間隔ＩＴ１は、第１間隔に相当し、間隔ＩＴ２は、第２間隔に相当する。
【００４７】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４８】
１…遮光層、２…フレーム、３…配線基板、４…筐体、２１…第１部分、２２…第２部分、２３…リブ、２３Ａ…上面、３１…接続部、３２…延出部、ＰＮＬ…表示パネル、ＩＬ…照明装置、ＥＭ…発光部、ＬＧ…導光板、ＣＶ…凸部、ＣＣ…凹部、ＬＣＶ…凸部の長さ、Ｌ２３…リブの長さ、ＴＲ…溝、ＥＴ２，ＥＴ３…エッジ、ＩＴ１，ＩＴ２…間隔。
【図１】
2019067533.tif 000003
【図２】
2019067533.tif 000004
【図３】
2019067533.tif 000005
【図４】
2019067533.tif 000006
【図５】
2019067533.tif 000007
【図６】
2019067533.tif 000008
【図７】
2019067533.tif 000009
【図８】
2019067533.tif 000010
【図９】
2019067533.tif 000011
【図１０】
2019067533.tif 000012
【図１１】
2019067533.tif 000013
【図１２】
2019067533.tif 000014
【図１３】
2019067533.tif 000015
【図１４】
2019067533.tif 000016